(57)【要約】【課題】  監視を要することなく、単純で安価な構成により、水槽を空にして所定の作業をする際に捨てなければならない水量が極めて少ない給水システム、及びこのような給水システムを実現するために用いられる制御装置を提供すること。【解決手段】  第１の水槽１１Ａと、第２の水槽１１Ｂと、第１の水槽１１Ａから水を導出する第１のポンプ１６Ａが配設された第１の導出流路１５Ａと、第２の水槽１１Ｂから水を導出する第２のポンプ１６Ｂが配設された第２の導出流路１５Ｂと、水を閉止する第１の弁１３Ａを有する第１の導入流路１２Ａと、第１の水槽１１Ａの水位を検知する第１の水位検知器２２Ａと、第１の弁１３Ａを閉止した後、第１の水位検知器２２Ａで検知された水位が第１のポンプ１６Ａを停止する水位になったときに、第１の弁１３Ａの閉止状態を維持しつつ第２のポンプ１６Ｂを運転する制御装置２１とを備える給水システム。【選択図】  図１
2006118217.tif 000002
【特許請求の範囲】
【請求項１】
水を貯留する第１の水槽と；
水を貯留する第２の水槽と；
前記第１の水槽から水を導出する、第１のポンプが配設された第１の導出流路と；
前記第２の水槽から水を導出する、第２のポンプが配設された第２の導出流路と；
前記第１の水槽に水を導入する第１の導入流路であって、該第１の導入流路を流れる水を閉止する第１の弁を有する第１の導入流路と；
前記第１の水槽の水位を検知する第１の水位検知器と；
前記第１の水位検知器で検知された水位に基いて前記第１及び第２のポンプ並びに前記第１の弁を制御する制御装置であって、前記第１の弁を閉止した後、前記第１の水位検知器で検知された水位が前記第１のポンプを停止する水位になったときに、前記第１の弁の閉止状態を維持しつつ前記第２のポンプを運転する制御を行なう制御装置とを備える；
給水システム。
【請求項２】
前記第２の水槽に水を導入する第２の導入流路であって、該第２の導入流路を流れる水を閉止する第２の弁を有する第２の導入流路と；
前記第２の水槽の水位を検知する第２の水位検知器と；
前記第１の弁を閉止した後、前記第１の水位検知器で検知された水位が前記第１のポンプを停止する水位になったときに、前記第１の弁の閉止状態を維持しつつ前記第２のポンプを運転し、前記第２の水槽の状態と該第１のポンプを停止する水位になった第１の水槽の状態とを切り換える指令を受けた後、前記第２のポンプを運転している状態で前記第１の弁を開にすると共に前記第２の弁を閉止し、前記第２の水位検知器で検知された水位が前記第２のポンプを停止する水位になったときに、前記第２の弁の閉止状態を維持しつつ前記第１のポンプを運転する制御を行なう制御装置とを備える；
請求項１に記載の給水システム。
【請求項３】
前記制御装置は、前記制御を行なわないときに、前記第１のポンプが起動し停止した後に前記第２のポンプが起動し停止する自動交互運転を行なう制御装置である；
請求項１又は請求項２に記載の給水システム。
【請求項４】
水を貯留する第１の水槽に水を導入する第１の導入流路であって、第１の弁を有する第１の導入流路と、該第１の水槽から水を導出する第１の導出流路であって、第１のポンプが配設された第１の導出流路と、水を貯留する第２の水槽から水を導出する第２の導出流路であって、第２のポンプが配設された第２の導出流路と、該第１の水槽の水位を検知する第１の水位検知器とを備える給水システムに用いる制御装置において；
前記第１の弁を閉止した後、前記第１の水位検知器で検知された水位が前記第１のポンプを停止する水位になったときに、前記第１の弁の閉止状態を維持しつつ前記第２のポンプを運転するように制御を行なう；
制御装置。
【請求項５】
前記給水システムは、前記第２の水槽に水を導入する第２の導入流路であって、第２の弁を有する第２の導入流路と、該第２の水槽の水位を検知する第２の水位検知器とを備え；
前記第１の弁を閉止した後、前記第１の水位検知器で検知された水位が前記第１のポンプを停止する水位になったときに、前記第１の弁の閉止状態を維持しつつ前記第２のポンプを運転し、前記第２の水槽の状態と該第１のポンプを停止する水位になった第１の水槽の状態とを切り換える指令を受けた後、前記第２のポンプを運転している状態で前記第１の弁を開にすると共に前記第２の弁を閉止し、前記第２の水位検知器で検知された水位が前記第２のポンプを停止する水位になったときに、前記第２の弁の閉止状態を維持しつつ前記第１のポンプを運転するように制御を行なう；
請求項４に記載の制御装置。
【請求項６】
水を貯留する第１の水槽と；
水を貯留する第２の水槽と；
前記第１の水槽から水を導出する、第１のポンプが配設された第１の導出流路と；
前記第２の水槽から水を導出する、第２のポンプが配設された第２の導出流路と；
前記第１のポンプの上流側かつ前記第２のポンプの上流側で前記第１の水槽と前記第２の水槽とを連通する連通流路であって、該連通流路内の水を閉止する連通閉止弁を有する連通流路とを備える；
給水システム。
【発明の詳細な説明】
【技術分野】
【０００１】
本発明は給水システム及び制御装置に関し、特に監視を要することなく、単純で安価な構成により、水槽を空にして所定の作業をする際に捨てなければならない水量が極めて少ない給水システム、及びこのような給水システムを実現するために用いられる制御装置に関するものである。
【背景技術】
【０００２】
集合住宅や事務所ビル等の比較的大きな水量を消費する建物では、飲料水供給の安定化のために、飲料水を一度受水槽に貯留してから供給する給水システムが採用されている。このような給水システムを構成する受水槽（簡易専用水道）は、一年以内ごとに一回、清掃を行なうことが義務付けられている（水道法３４条の２第１項、水道法施行規則５５条１号）。受水槽を清掃するに際し、貯留している水を捨てることが一般的に行なわれるが、水は資源であり無尽蔵にあり続けるものではなく、また、飲料水として使える状態に至るまでに様々な人の努力が必要であることに思いを巡らせれば、無闇に捨てることは好ましくない。このような問題点を認識して構築された給水装置として、水槽の水位を少なくとも２段階で選択できるようにし、清掃の実施日には通常の使用時よりも低い水位を選択するようにして、無駄に捨てられる水量を少なくする給水装置が知られている（特許文献１参照）。
【０００３】
また、図６に示すように、従来の給水システム１００として、水槽の清掃時の断水を回避すべく、水槽１０に中仕切板１０ａを設けて二つの水槽１１Ａ、１１Ｂを構成したものが知られている。この従来の給水システム１００では、通常時（清掃を行なわない時）は両方の水槽の水を均等に使用するために、二つの水槽１１Ａ、１１Ｂをヘッダー９１で連通して実質的に一つの水槽として使っていた。そして、水槽内の水は、ヘッダー９１から共通管９３を通って、第１のポンプ１６Ａ並びに仕切弁３１Ａ及び逆止弁３２Ａが配設された流路９４Ａ、又は第２のポンプ１６Ｂ並びに仕切弁３１Ｂ及び逆止弁３２Ｂが配設された流路９４Ｂに流れていた。そして、従来の給水システム１００において水槽を清掃する際に水を捨てないようにするためには、例えば、まず第１の水槽１１Ａを清掃するとした場合に、第１の導入流路１２Ａに配設された第１の弁１３Ａを閉めると同時に第２の水槽１１Ｂからの流出水を止める第２の出口弁９２Ｂを閉め、第１の水槽１１Ａが空になるのを監視して、第１の水槽１１Ａが空になると同時に第１の出口弁９２Ａを閉めて第２の出口弁９２Ｂを開けるという動作を行ない断水を回避していた。なお、第１の水槽１１Ａの清掃が終了した後、第２の水槽１１Ｂの清掃を行なう場合は、第１の弁１３Ａ及び第１の出口弁９２Ａを開け、第１の水槽１１Ａに相当量の水が溜まった後に、第２の水槽１１Ｂに対して、第１の水槽１１Ａを清掃する際に行ったのと同様の動作をしていた。
【特許文献１】特開平９−１５１４９６号公報（１−３頁）
【発明の開示】
【発明が解決しようとする課題】
【０００４】
しかし、特許文献１に記載された給水装置では、水槽の清掃を実施するまでに使用する水量を確保しておく必要があり、水槽の清掃を実施する際に、確保しておいた量の水を捨てることを避けることができない。
【０００５】
また、図６に示す従来の給水システムにおいて、清掃をする際に、無駄に水を捨てずに断水を回避するためには、一方の水槽が空になるとすぐに他方の水槽の水を使うような弁の操作をするために監視しておく必要があり煩わしさに堪え難い。他方、監視を不要とするために出口弁を自動弁にすることが考えられるが、構成が複雑になると共に、導入流路よりも口径が大きい導出流路に自動弁を設けると、コストが嵩むこととなる。
【０００６】
本発明は上述の課題に鑑み、監視を要することなく、単純で安価な構成により、水槽を空にして所定の作業をする際に捨てなければならない水量が極めて少ない給水システム、及びこのような給水システムを実現するために用いられる制御装置を提供することを目的とする。
【課題を解決するための手段】
【０００７】
上記目的を達成するために、請求項１に記載の発明に係る給水システムは、例えば図１に示すように、水を貯留する第１の水槽１１Ａと；水を貯留する第２の水槽１１Ｂと；第１の水槽１１Ａから水を導出する、第１のポンプ１６Ａが配設された第１の導出流路１５Ａと；第２の水槽１１Ｂから水を導出する、第２のポンプ１６Ｂが配設された第２の導出流路１５Ｂと；第１の水槽１１Ａに水を導入する第１の導入流路１２Ａであって、第１の導入流路１２Ａを流れる水を閉止する第１の弁１３Ａを有する第１の導入流路１２Ａと；第１の水槽１１Ａの水位を検知する第１の水位検知器２２Ａと；第１の水位検知器２２Ａで検知された水位に基いて第１及び第２のポンプ１６Ａ、１６Ｂ並びに第１の弁１３Ａを制御する制御装置２１であって、第１の弁１３Ａを閉止した後、第１の水位検知器２２Ａで検知された水位が第１のポンプ１６Ａを停止する水位になったときに、第１の弁１３Ａの閉止状態を維持しつつ第２のポンプ１６Ｂを運転する制御を行なう制御装置２１とを備える。
【０００８】
このように構成すると、第１の弁を閉止した後、第１の水位検知器で検知された水位が第１のポンプを停止する水位になったときに、第１の弁の閉止状態を維持しつつ第２のポンプを運転するので、給水システムを止めることなく第１の水槽を空の状態に維持しておくことができるため、作業をする者の都合のよい時間に所定の作業をすることができると共に所定の作業を行なうに際し水を無駄に捨てなくて済む、単純で安価な構成の給水システムとなる。ここで、第１の水槽が空の状態とは、第１の水槽内に水分がまったく存在しない状態のみをいうのではなく、第１の水槽内の水位が第１のポンプが停止する水位以下である状態も含まれる。また、「ポンプを停止する水位」は、典型的には、ポンプの空転を防止しつつ、水を無駄に捨てない観点から水槽内に水を残すことが許容できる水位である。また、所定の作業は、典型的には水槽内の清掃であるが、その他の修理等の、水槽内の水を抜いて行なう作業も含まれる。
【０００９】
また、請求項２に記載の発明に係る給水システムは、例えば図１に示すように、請求項１に記載の給水システム１において、第２の水槽１１Ｂに水を導入する第２の導入流路１２Ｂであって、第２の導入流路１２Ｂを流れる水を閉止する第２の弁１３Ｂを有する第２の導入流路１２Ｂと；第２の水槽１１Ｂの水位を検知する第２の水位検知器２２Ｂと；第１の弁１３Ａを閉止した後、第１の水位検知器２２Ａで検知された水位が第１のポンプ１６Ａを停止する水位になったときに、第１の弁１３Ａの閉止状態を維持しつつ第２のポンプ１６Ｂを運転し、第２の水槽１１Ｂの状態と第１のポンプ１６Ａを停止する水位になった第１の水槽１１Ａの状態とを切り換える指令を受けた後、第２のポンプ１６Ｂを運転している状態で第１の弁１３Ａを開にすると共に第２の弁１３Ｂを閉止し、第２の水位検知器２２Ｂで検知された水位が第２のポンプ１６Ｂを停止する水位になったときに、第２の弁１３Ｂの閉止状態を維持しつつ第１のポンプ１６Ａを運転する制御を行なう制御装置２１とを備える。
【００１０】
このように構成すると、給水システムを止めることなく作業をする者の都合のよい時間に第１の水槽に対して所定の作業を行ない、その後作業をする者の都合のよい時間に第２の水槽に対して所定の作業を行なうことができ、かつ、第１及び第２の水槽に対して所定の作業を行なうに際し水を無駄に捨てなくて済む、単純で安価な構成の給水システムとなる。ここで、「ポンプを運転している状態」は、現にポンプが回転しているときのみならず、制御装置からの起動要求があれば起動し得る状態にある場合も含むものとする。制御装置からの起動要求があれば起動し得る状態は、典型的には、システム外からの給水要求がないためにポンプが停止しているが、システム外から給水要求があればポンプが起動する状態である。
【００１１】
また、請求項３に記載の発明に係る給水システムは、例えば図１に示すように、請求項１又は請求項２に記載の給水システム１において、制御装置２１は、請求項１又は請求項２に記載のような制御を行なわないときに、第１のポンプ１６Ａが起動し停止した後に第２のポンプ１６Ｂが起動し停止する自動交互運転を行なう制御装置２１である。
【００１２】
このように構成すると、片方の水槽の水が使われずに淀むことを避けることができ、かつ、片方のポンプに運転が集中することがないのでポンプの寿命を延ばすことができる。
【００１３】
上記の目的を達成するために、請求項４に記載の発明に係る制御装置は、例えば図１に示すように、水を貯留する第１の水槽１１Ａに水を導入する第１の導入流路１２Ａであって、第１の弁１３Ａを有する第１の導入流路１２Ａと、第１の水槽１１Ａから水を導出する第１の導出流路１５Ａであって、第１のポンプ１６Ａが配設された第１の導出流路１５Ａと、水を貯留する第２の水槽１１Ｂから水を導出する第２の導出流路１５Ｂであって、第２のポンプ１６Ｂが配設された第２の導出流路１５Ｂと、第１の水槽１１Ａの水位を検知する第１の水位検知器２２Ａとを備える給水システム１に用いる制御装置２１において；第１の弁１３Ａを閉止した後、第１の水位検知器２２Ａで検知された水位が第１のポンプ１６Ａを停止する水位になったときに、第１の弁１３Ａの閉止状態を維持しつつ第２のポンプ１６Ｂを運転するように制御を行なう。
【００１４】
このように構成すると、第１の弁を閉止した後、第１の水位検知器で検知された水位が第１のポンプを停止する水位になったときに、第１の弁の閉止状態を維持しつつ第２のポンプを運転するように制御を行なうので、給水システムを止めることなく第１の水槽を空の状態に維持しておくことができるため、作業をする者の都合のよい時間に所定の作業をすることができると共に、所定の作業を行なうに際し水を無駄に捨てなくて済む。
【００１５】
また、請求項５に記載の発明に係る制御装置は、例えば図１に示すように、請求項４に記載の制御装置２１において、給水システム１は、第２の水槽１１Ｂに水を導入する第２の導入流路１２Ｂであって、第２の弁１３Ｂを有する第２の導入流路１２Ｂと、第２の水槽１１Ｂの水位を検知する第２の水位検知器２２Ｂとを備え；第１の弁１３Ａを閉止した後、第１の水位検知器２２Ａで検知された水位が第１のポンプ１６Ａを停止する水位になったときに、第１の弁１３Ａの閉止状態を維持しつつ第２のポンプ１６Ｂを運転し、第２の水槽１１Ｂの状態と第１のポンプ１６Ａを停止する水位になった第１の水槽１１Ａの状態とを切り換える指令を受けた後、第２のポンプ１６Ｂを運転している状態で第１の弁１３Ａを開にすると共に第２の弁１３Ｂを閉止し、第２の水位検知器２２Ｂで検知された水位が第２のポンプ１６Ｂを停止する水位になったときに、第２の弁１３Ｂの閉止状態を維持しつつ第１のポンプ１６Ａを運転するように制御を行なう。
【００１６】
このように構成すると、給水システムを止めることなく作業をする者の都合のよい時間に第１の水槽に対して所定の作業を行ない、その後作業をする者の都合のよい時間に第２の水槽に対して所定の作業を行なうことができ、かつ、第１及び第２の水槽に対して所定の作業を行なうに際し水を無駄に捨てなくて済む。
【００１７】
上記の目的を達成するために、請求項６に記載の発明に係る給水システムは、例えば図１に示すように、水を貯留する第１の水槽１１Ａと；水を貯留する第２の水槽１１Ｂと；第１の水槽１１Ａから水を導出する、第１のポンプ１６Ａが配設された第１の導出流路１５Ａと；第２の水槽１１Ｂから水を導出する、第２のポンプ１６Ｂが配設された第２の導出流路１５Ｂと；第１のポンプ１６Ａの上流側かつ第２のポンプ１６Ｂの上流側で第１の水槽１１Ａと第２の水槽１１Ｂとを連通する連通流路１８であって、連通流路１８内の水を閉止する連通閉止弁１９を有する連通流路１８とを備える。
【００１８】
このように構成すると、第１のポンプの上流側かつ第２のポンプの上流側で第１の水槽と第２の水槽とを連通する連通流路であって、連通流路内の水を閉止する連通閉止弁を有する連通流路とを備えるので、通常は連通閉止弁を開にして第１の水槽及び第２の水槽内の水を均一に使用し、所定の作業を行なう時に連通閉止弁を閉にすることにより一つの水槽を第１の水槽と第２の水槽とに分離して一方の水槽を空の状態にすることができる。
【発明の効果】
【００１９】
本発明によれば、監視を要することなく、単純で安価な構成により、水槽を空にして所定の作業をする際に捨てなければならない水量が極めて少ない給水システム、及びこのような給水システムを実現するために用いられる制御装置を提供することができる。
【発明を実施するための最良の形態】
【００２０】
以下、図面を参照して、本発明の実施の形態について説明する。なお、各図において、互いに同一又は相当する装置には同一符号を付し、重複した説明は省略する。なお、図１中、破線は制御信号を表す。
【００２１】
まず、図１を参照して本発明の実施の形態に係る給水システム１及び給水システム１に含まれる制御装置２１の構成について説明する。図１は、本発明の実施の形態に係る給水システム１及び給水システム１に含まれる制御装置２１を説明する図である。給水システム１は、受水槽１０と、導入流路１２Ａ、１２Ｂと、導出流路１５Ａ、１５Ｂと、水位検知器２２Ａ、２２Ｂと、制御装置２１とを備えている。なお、以降の説明において、単に「システム」というときは給水システム１を指すものとする。
【００２２】
受水槽１０は、水道事業者等のシステム外から供給される水を貯留する水槽である。受水槽１０は、ＦＲＰ（Ｆｉｂｅｒ  Ｒｅｉｎｆｏｒｃｅｄ  Ｐｌａｓｔｉｃｓ）製のパネルが組み合わせられて、外観が直方体形状に構成されている。受水槽１０は、中仕切板１０ａが取り付けられ、第１の水槽１１Ａ及び第２の水槽１１Ｂの二つの水槽が形成されるように構成されている。本実施の形態では、第１の水槽１１Ａと第２の水槽１１Ｂとはほぼ同じ構成であるので、まず第１の水槽１１Ａの構成を説明する。なお、受水槽１０は、ＦＲＰ以外の、例えば、ステンレス、鋼鈑や躯体等で形成されていてもよい。
【００２３】
第１の水槽１１Ａの上面には、システム外から供給された水を導入する第１の導入流路１２Ａが接続されている。第１の導入流路１２Ａは、典型的には、塩化ビニルライニング鋼管やポリエチレン粉体ライニング鋼管が用いられる。第１の導入流路１２Ａには、内部を流れる水を止める第１の弁１３Ａが配設されている。第１の弁１３Ａは、典型的には、電磁開閉弁である。第１の弁１３Ａと制御装置２１との間には信号ケーブルが敷設されている。第１の弁１３Ａは、制御装置２１からの信号ｉ１を受信して、弁の開閉動作をすることができるように構成されている。また、第１の導入流路１２Ａには、第１の水槽１１Ａの天板を挟んで第１の水槽の内部に位置するように、ボールタップ１４Ａが接続されている。ボールタップ１４Ａは、フロートの浮力を利用して流水を止める弁であり、フロートが下がっているときは水を流し、フロートが所定の高さまで上がると水が止まるように構成されている。ボールタップ１４Ａは、水位検知器２２Ａによる水位検知の安定化のため、水位検知器２２Ａがボールタップ１４Ａからの吐出水による波の影響を受けない位置に配置されることが好ましい。また、ボールタップの弁の頻繁な開閉を避けたい場合は、水位差が取れるボールタップを用いることが好ましい。なお、第１の水槽１１Ａへの給水時間短縮の観点から、ボールタップ以外の定水位弁（不図示）を設けてもよい。
【００２４】
第１の水槽１１Ａの側面の下方には、第１の水槽１１Ａに貯留された水を導出する第１の導出流路１５Ａが、床面に対してほぼ平行に接続されている。図１では、第１の水槽１１Ａの底部に第１の導出流路１５Ａが接続されているように表されているが、これは便宜上のものである。第１の導出流路１５Ａは、一般的には、第１の導入流路１２Ａと同じ管材が用いられる。第１の導出流路１５Ａには、第１の水槽１１Ａに貯留された水をシステム外の需要に向けて圧送する第１のポンプ１６Ａが配設されている。第１のポンプ１６Ａは、制御装置２１からの信号により、起動及び停止ができるように構成されている。また、第１のポンプ１６Ａは、制御装置２１からの信号により、回転数を制御することができるように構成されていてもよい。第１のポンプ１６Ａには、実際には、動力ケーブルが接続されており、制御装置２１が第１のポンプ１６Ａに送電される電力を制御して第１のポンプ１６Ａの起動、停止、回転数を制御しているが、図１では観念的に制御装置２１が第１のポンプ１６Ａに信号ｉ２を送信するように表している。第１のポンプ１６Ａの吸込側の第１の導出流路１５Ａには、主に第１のポンプ１６Ａのメンテナンス時に水を止める仕切弁３１Ａが設けられている。また、第１のポンプ１６Ａの吐出側の第１の導出流路１５Ａには、逆止弁３２Ａが設けられている。なお、逆止弁３２Ａは、第１のポンプ１６Ａに機能が内蔵されているものとしてもよい。
【００２５】
また、第１の水槽１１Ａには、第１の水位検知器２２Ａが設けられている。第１の水位検知器２２Ａは、典型的には、電極棒である。水位検知器２２Ａと制御装置２１との間には信号ケーブルが敷設されている。水位検知器２２Ａは、第１の水槽１１Ａ内に貯留された、電気を伝導する水道水の水面が、各電極棒に接触又は非接触の状態になることにより、第１の水槽１１Ａの水位に応じた制御信号ｉ３を制御装置２１に送信することができるように構成されている。
【００２６】
ここで図２を参照して、第１の水位検知器２２Ａの構成について説明する。なお、以降の説明において、水槽内の水を抜くための運転ではない運転を、定常運転ということとする。第１の水位検知器２２Ａは、電極保持器２３に長さの異なるステンレス製の電極棒２４ａ〜２４ｅが保持されて構成されている。各電極棒２４ａ〜２４ｅの先端は、この順番で低位から高位に位置している。先端が最も低位に位置している電極棒２４ａは共通電極（コモン）である。電極棒２４ｂの先端は、定常運転時に減水警報を発報し、水槽水抜き時に第１のポンプ１６Ａを停止する水位である。電極棒２４ｂは、水位が下がって水面が電極棒２４ｂの先端から離れると減水警報又は第１のポンプ１６Ａ停止信号ｉ３を送信する、ｂ接点のような働きをする。この水位が本発明における「第１のポンプを停止する水位」に相当する。電極棒２４ｃの先端は、定常運転時に第１の弁１３Ａが閉止状態となっている場合に、第１の弁１３Ａを開にして第１の水槽１１Ａへの水の補給を開始する水位である。電極棒２４ｃは、水位が下がって水面が電極棒２４ｃの先端から離れると第１の弁１３Ａ開信号ｉ３を送信する、ｂ接点のような働きをする。電極棒２４ｄの先端は、定常運転時にボールタップ１４Ａが故障して補給水が止まらなくなった際に、第１の弁１３Ａを閉にして第１の水槽１１Ａへの水の補給を停止する水位である。電極棒２４ｄは、水位が上がって水面が電極棒２４ｄの先端に接触すると第１の弁１３Ａ閉信号ｉ３を送信する、ａ接点のような働きをする。電極棒２４ｅの先端は、定常運転時に満水警報を発報する水位である。電極棒２４ｅは、水位が上がって水面が電極棒２４ｅの先端に接触すると満水警報信号ｉ３を送信する、ａ接点のような働きをする。第１の水位検知器２２Ａは、第１の水槽１１Ａに対して、電極棒保持器２３が第１の水槽１１Ａの外部に位置するように取り付けられる。
【００２７】
図１に戻って、引き続き給水システム１の構成を説明する。第１の水槽１１Ａの底面には、排水管３８Ａが接続されている。排水管３８Ａには排水弁３９Ａが配設されている。排水管３８Ａには、オーバーフロー管が接続されていてもよい。ただし、オーバーフロー管が接続されるときは、オーバーフロー管からの水が流れる位置に弁を設けないようにするため、排水弁３８Ａは、第１の水槽１１Ａからオーバーフロー管に合流するまでの排水管３８Ａに設置される。
【００２８】
これまでは第１の水槽１１Ａの構成を説明してきたが、第２の水槽１１Ｂも、第１の水槽１１Ａと同じように構成されている。第２の水槽１１Ｂには、第２の弁１３Ｂが配設された第２の導入流路１２Ｂ、並びに、第２のポンプ１６Ｂ及び仕切弁３１Ｂと逆止弁３２Ｂが配設された第２の導出流路１５Ｂが接続されている。また、第２の導入流路１２Ｂにはボールタップ１４Ｂが接続されている。また、第２の弁１３Ｂと制御装置２１との間には信号ケーブルが敷設されており、制御装置２１から第２の弁１３Ｂに弁開閉の信号ｉ４を送信することができるように構成されている。また、第２の水位検知器２２Ｂと制御装置２１との間には信号ケーブルが敷設されており、制御装置２１は第２の水位検知器２２Ｂからの水位信号ｉ６を受信することができるように構成されている。また、第２のポンプ１６Ｂは制御装置２１からの信号ｉ５により、起動及び停止ができるように構成されている。
【００２９】
第１の導出流路１５Ａと第２の導出流路１５Ｂとの間には、第１の水槽１１Ａと第２の水槽１１Ｂとを連通する連通流路１８が配設されている。連通流路１８は、仕切弁３１Ａより上流側の第１の導出流路１５Ａ及び仕切弁３１Ｂより上流側の第２の導出流路１５Ｂに接続されている。連通流路１８には、その内部の水の流れを止める連通閉止弁１９が設けられている。受水槽１０は、連通閉止弁１９を開にすることにより実質的に一つの水槽とし、連通閉止弁１９を閉にすることにより二つの水槽とすることができるように構成されている。受水槽１０を実質的に一つの水槽とすれば、第１の水槽１１Ａ内の水と第２の水槽１１Ｂ内の水とをほぼ均一に使用することができる。ただし、連通流路１８を設けない場合であっても、第１のポンプ１６Ａ及び第２のポンプ１６Ｂを交互に切換運転すれば第１の水槽１１Ａ内の水と第２の水槽１１Ｂ内の水とをほぼ均一に使用することができる。連通流路１８が接続されている位置より上流側の第１の導出流路１５Ａには、閉止弁３３Ａが設けられている。また、連通流路１８が接続されている位置より上流側の第２の導出流路１５Ｂには、閉止弁３３Ｂが設けられている。
【００３０】
第１の導出流路１５Ａと第２の導出流路１５Ｂとは、逆止弁３２Ａ、３２Ｂの下流側で合流し、供給流路２６として水が使用される場所まで敷設されている。水が使用される場所が複数存在する場合は、供給流路２６は、再度必要に応じて分岐される。また、第１の導入流路１２Ａと第２の導入流路１２Ｂとは、第１の弁１３Ａ及び第２の弁１３Ｂの上流側で合流して引込み流路２５となっている。引込み流路２５は、典型的には量水器（不図示）を介して、水道事業者が所有する水道本管に接続されている。
【００３１】
制御装置２１は、以下に説明する制御を行なうための電子回路やリレーが配置された基板と、信号ｉ１〜ｉ６、及びｉ８の送受信を行なうための信号ケーブルを接続する端子とを備えている。制御装置２１は、第１の水位検知器２２Ａからの信号ｉ３及び第２の水位検知器２２Ｂからの信号ｉ６を受信して、第１の弁１３Ａに信号ｉ１を及び第２の弁１３Ｂに信号ｉ４を、並びに第１のポンプ１６Ａに信号ｉ２を及び第２のポンプ１６Ｂに信号ｉ５を送信することができるように構成されている。
【００３２】
また、制御装置２１は、タイマーを内蔵し、指定された日時に第１の水槽１１Ａ又は第２の水槽１１Ｂを空の状態にするように、第１の弁１３Ａ及び第２の弁１３Ｂの開閉動作、並びに第１のポンプ１６Ａ及び第２のポンプ１６Ｂの起動及び停止を制御することができるように構成されている。制御装置２１は、指定された日時に第１の水槽１１Ａ又は第２の水槽１１Ｂを空の状態にするために、各水槽内の水が空になるまでに要する時間に所定の余裕時間を加えた時間を指定された日時から遡って、その遡った時間に第１の弁１３Ａ及び第２の弁１３Ｂの制御を開始するように構成されている。各水槽内の水が空になるまでに要する時間は、典型的には設計時の使用水量から算出される。また、各水槽内の水が空になるまでに要する時間は、例えば量水器（不図示）による計測の結果を基にして算出し直し、適宜修正を加えてもよい。タイマーを内蔵した場合の制御装置２１は、第１の水槽１１Ａ又は第２の水槽１１Ｂを空の状態にしたい日時を入力するための入力装置（不図示）を備えている。また、制御装置２１は、給水システム１の状態選択の信号ｉ８を外部（例えば後述の図３に示すスイッチ）から受信することができるように構成されている。
【００３３】
ここで図３を参照して、給水システム１の状態を切り換えるスイッチを説明する。スイッチ４０は、ダイヤル４１を備えている。スイッチ４０は、給水システム１の状態を、定常運転、第１の水槽１１Ａの水抜き、第２の水槽１１Ｂの水抜き、のうちから選択することができるように構成されている。スイッチ４０と制御装置２１との間には信号ケーブルが敷設されており、スイッチ４０で選択された指令を制御装置２１に信号ｉ８（図１参照）として送信することができるように構成されている。スイッチ４０は、典型的には動力盤（不図示）に配置されている。なお、スイッチ４０は、ダイヤル以外の、ボタン等で給水システム１の状態を切り換えるように構成されていてもよい。
【００３４】
次に、図４及び図５を参照して、本発明の実施の形態に係る給水システム１及び制御装置２１の作用について説明する。図４は、給水システム１の制御を説明するフローチャートである。なお、構成の符号に関しては適宜図１を参照するものとする。図５は、給水システム１の弁の状態を図４のフローチャートにおける各工程ごとに示す図である。
【００３５】
受水槽１０を空にする予定がないときは、給水システム１は定常運転をする（ＳＴ１）。定常運転時、スイッチ４０（図３参照）は「常時」の位置に合わせられており、また、給水システム１の各弁の状態は、図５に示す通りである。定常運転時、第１の弁１３Ａ及び第２の弁１３Ｂは共に開であり、連通閉止弁１９は閉止となっている。
【００３６】
定常運転時の第１のポンプ１６Ａ及び第２のポンプ１６Ｂは、以下に説明する自動交互運転を行なう。すなわち、定常運転時は、システム外からの給水要求があると、第１のポンプ１６Ａか第２のポンプ１６Ｂのどちらか一方が起動して送水を行なう。ここでは、第１のポンプ１６Ａが起動したとして説明する。給水要求がなくなると運転していた第１のポンプ１６Ａが停止する。次にシステム外から給水要求があったときは、前回運転していなかった第２のポンプ１６Ｂが起動する。給水要求がなくなると第２のポンプ１６Ｂが停止する。次にシステム外から給水要求があったときは、直前に運転していなかった第１のポンプ１６Ａが起動する。給水要求がなくなると第１のポンプ１６Ａが停止する。このように、自動交互運転は、複数台のポンプを交互に起動していく。第１のポンプ１６Ａ及び第２のポンプ１６Ｂを自動交互運転とすることで、各ポンプの運転時間を平均化することができ、ポンプの寿命を延ばすことができる。また、受水槽１０は、二つの水槽１１Ａ、１１Ｂに分離されているため、自動交互運転をすることで、一方の水槽の水が使用されずに淀むことを防ぐことができる。なお、システム外から給水要求があるたびに起動するポンプを切り換える自動交互運転では各水槽の水の使用量が偏る場合は、タイマー等を設けて、所定時間ごとに起動するポンプを切り換えるような交互運転としてもよい。このようなポンプの運転も自動交互運転に含まれるものとする。
【００３７】
給水要求が生じる場合を以下に例示する。受水槽１０に貯留された水を一度高架水槽（不図示）に揚水し、重力によって水を使用する場所に分配する場合は、高架水槽内（不図示）の水位が所定の水位まで下がったときに給水システム１に給水要求が出され、高架水槽（不図示）に水が補給されて高架水槽内（不図示）の水位が所定の水位まで上がったときに給水システム１に対する給水要求がなくなる。また、水が使用される場所に受水槽１０から直接分配する場合は、水が使用されるのに伴い蛇口が開栓されること等によって供給流路２６内の圧力が所定の圧力まで低下したときに給水システム１に給水要求が出され、水の使用が停止されて供給流路２６内の圧力が所定の圧力まで上昇したときに給水システム１に対する給水要求がなくなる。
【００３８】
定常運転時の受水槽１０への水の補給は、次のように行なわれる。ここでは第１の水槽１１Ａへの水の補給を説明するが、第２の水槽においても同じ要領で行なわれる。第１の水槽１１Ａ内の水位がボールタップ１４Ａの弁を閉止する水位まで上昇しているときは、第１の水槽１１Ａ内への水の補給は停止されている。システム外からの給水要求があり、第１のポンプ１６Ａが起動すると第１の水槽１１Ａ内の水位が下がる。第１の水槽１１Ａ内の水位が下がると、ボールタップ１４Ａのフロートが下がってボールタップ１４Ａの弁が開き、第１の水槽１１Ａ内に水が補給される。第１の水槽１１Ａ内に水が補給されると第１の水槽１１Ａ内の水位が上昇し、水位の上昇と共にボールタップ１４Ａのフロートが上昇する。ボールタップ１４Ａのフロートが所定の高さまで上がるとボールタップ１４Ａの弁が閉じられて、第１の水槽１１Ａ内への水の補給は停止される。その後、システム外からの給水要求により第１のポンプ１６Ａが起動して第１の水槽１１Ａ内の水位が下がると再び補給が開始され、以降同様の動作が繰り返される。
【００３９】
なお、ボールタップ１４Ａが何らかの原因によって故障し、第１の水槽１１Ａ内の水位がボールタップ１４Ａの弁を閉止する水位まで上昇しても補給水が止まらないときは、第１の水槽１１Ａ内の水位が電極棒２４ｄ（図２参照）の先端に接触するまで上昇すると、第１の水位検知器２２Ａから制御装置２１に信号ｉ３が送信され、次いで制御装置２１から第１の弁１３Ａに信号ｉ１が送信されて、第１の弁１３Ａが閉となり、第１の水槽１１Ａ内への水の補給が停止される。第１の弁１３Ａが閉となると、第１の水槽１１Ａ内の水が使用されて水位が低下し、ボールタップ１４Ａの弁が開いても第１の水槽１１Ａ内への水の補給が開始されない。さらに水位が低下して、水面が電極棒２４ｃ（図２参照）の先端から離れると、第１の水位検知器２２Ａから制御装置２１に信号ｉ３が送信され、次いで制御装置２１から第１の弁１３Ａに信号ｉ１が送信されて、第１の弁１３Ａが開となり、第１の水槽１１Ａ内への水の補給が開始される。
【００４０】
冒頭で述べたように、受水槽１０は、定期的に清掃を行なうことが義務付けられている。また、受水槽１０の保守や修理の際に水槽内を空にする必要が生じる場合もある。このようなとき、水槽内を空にしたい日時を設定する。まず、第１の水槽１１Ａ内を空の状態にしたい日時を制御装置２１に入力する。制御装置２１はその設定を受けて、あらかじめ制御装置２１に記憶されている第１の水槽１１Ａを空にするために必要な時間を基に、第１の弁１３Ａの制御を開始する日時を算出する。制御装置２１は、内蔵のタイマーにより、第１の弁１３Ａの制御を開始する日時になったときに、第１の弁１３Ａに信号ｉ１を送信して第１の弁１３Ａの制御を開始する。この第１の弁１３Ａの制御を開始する日時を、第１の水槽１１Ａの水抜き指令が発せられる日時とする。制御装置２１は、第１の水槽１１Ａの水抜き指令があったか否かの判断をする（ＳＴ２）。ここで、第１の水槽１１Ａの水抜き指令がなければ第２の水槽１１Ｂの水抜き指令があったか否かの判断をする工程（ＳＴ３）に進み、第２の水槽１１Ｂの水抜き指令があったか否かの判断をする工程（ＳＴ３）において第２の水槽１１Ｂの水抜き指令がなければ定常運転（ＳＴ１）に戻る。他方、第１の水槽１１Ａの水抜き指令があったか否かの判断をする工程（ＳＴ２）において、第１の水槽１１Ａの水抜き指令があれば第１の水槽１１Ａの水抜きを実行する工程（ＳＴ２１）に移る。
【００４１】
第１の水槽１１Ａの水抜き指令があると、制御装置２１は、第１の弁１３Ａに信号ｉ１を送信して第１の弁１３Ａを閉止する（ＳＴ２１）。このとき、第２の弁１３Ｂは、図５に示すように開になっている。第１の弁１３Ａが閉止すると、第１の水槽１１Ａ内の水が優先的に使用される（ＳＴ２２）。具体的には、第１の水槽１１Ａ内の水が優先的に使用される状態においては、ポンプの自動交互運転が行なわれず、システム外から給水要求があるたびに第１のポンプ１６Ａが起動する。
【００４２】
第１の水槽１１Ａ内の水が優先的に使用される状態（ＳＴ２２）においては、第１の弁１３Ａが閉止状態になっているため、第１の水槽１１Ａ内の水位が下がりボールタップ１４Ａの弁が開になっても第１の水槽１１Ａへの水の補給が開始されない。このような第１の水槽１１Ａ内の水が優先的に使用される状態（ＳＴ２２）において、制御装置２１は、第１の水槽１１Ａが空になったか否かを判断する（ＳＴ２３）。第１の水槽１１Ａが空になったか否かの判断は、典型的には、第１の水槽１１Ａ内の水位が第１のポンプ１６Ａを停止する水位である第１の水位検知器２２Ａの電極棒２４ｂの先端の水位まで下がったか否かにより行なう。すなわち、第１の水槽１１Ａ内が「空」とは、第１の水槽１１Ａ内の水位が、第１のポンプ１６Ａが停止する水位以下であることをいう。第１の水槽１１Ａが空になっていない場合は、引き続き第１の水槽１１Ａ内の水が優先的に使用される（ＳＴ２２）。第１の水槽１１Ａが空になった場合は、次の工程に進む。
【００４３】
第１の水槽１１Ａが空になったか否かを判断し（ＳＴ２３）、第１の水槽１１Ａが空である場合は、制御装置２１は、第１の水位検知器２２Ａから信号ｉ３を受信し、第２のポンプ１６Ｂを起動させて第１のポンプ１６Ａを停止させる。第２のポンプ１６Ｂが起動することにより、第２の水槽１１Ｂ内の水が使用される（ＳＴ２４）。システム外からの給水要求がなくなり、次に給水要求が生じたときも第２のポンプ１６Ｂが起動する。このとき、第１の弁１３Ａは閉止の状態で維持されており、第１の水槽１１Ａも空の状態が維持されている。第１の水槽１１Ａは空の状態が維持されているので、特別な監視を要せずして作業をする者の都合のよい時間に第１の水槽１１Ａに対して所定の作業をすることができる。また、第１の水槽１１Ａに対して所定の作業をする際に、捨てなければならない水量は極めて少なく、第１の水槽１１Ａを清掃する場合は、水槽内に残ったわずかな水を清掃に使用することもできる。
【００４４】
第１の水槽１１Ａ内が空になり、所定の作業が終了するまでの間、制御装置２１は、第１の水槽１１Ａの水抜き状態を終了する指令があるか否かの判断を行なう（ＳＴ２５）。第１の水槽１１Ａの水抜き状態を終了する指令は、典型的には、作業をする者が作業終了時にスイッチ４０のダイヤル４１（図３参照）を「常時」に切り換えることにより、信号ｉ８として制御装置２１に送信される。第１の水槽１１Ａの水抜き状態を終了する指令がなければ引き続き第２の水槽内の水を使用する（ＳＴ２４）。第１の水槽１１Ａの水抜き状態を終了する指令があれば定常運転に戻る（ＳＴ１）。定常運転に戻る際に、制御装置２１は、第１の弁１３Ａに信号ｉ１を送信して第１の弁１３Ａを開にする。
【００４５】
第１の水槽１１Ａについて所定の作業が終了し、第２の水槽１１Ｂに対して所定の作業を行なうために水槽内を空にしたい場合は、第２の水槽１１Ｂ内を空の状態にしたい日時を制御装置２１に入力する。制御装置２１はその設定を受けて、あらかじめ制御装置２１に記憶されている第２の水槽１１Ｂを空にするために必要な時間を基に、第２の弁１３Ｂの制御を開始する日時を算出する。制御装置２１は、内蔵のタイマーにより、第２の弁１３Ｂの制御を開始する日時になったときに、第２の弁１３Ｂに信号ｉ４を送信して第２の弁１３Ｂの制御を開始する。この第２の弁１３Ｂの制御を開始する日時を、第２の水槽１１Ｂの水抜き指令が発せられる日時とする。このようにして、水槽内が空の状態を、第１の水槽１１Ａから第２の水槽１１Ｂに切り換えるべく、第２の水槽１１Ｂは水抜き指令を受ける。引き続き、第２の水槽１１Ｂを空の状態にする運転について説明する。
【００４６】
第２の水槽１１Ｂを空の状態にする運転においても、定常運転の状態から（ＳＴ１）、制御装置２１は、まず第１の水槽１１Ａの水抜き指令があったか否かの判断をする（ＳＴ２）。ここで、第１の水槽１１Ａの水抜き指令があれば、第１の水槽１１Ａを空の状態にする運転を行なう（ＳＴ２１〜ＳＴ２５）。第１の水槽１１Ａの水抜き指令がなければ、第２の水槽１１Ｂの水抜き指令があったか否かの判断をする（ＳＴ３）。ここで、第２の水槽１１Ｂの水抜き指令がなければ定常運転（ＳＴ１）に戻る。
【００４７】
第２の水槽１１Ｂの水抜き指令があったか否かの判断をする工程（ＳＴ３）において、第２の水槽１１Ｂの水抜き指令があると、制御装置２１は、第２の弁１３Ｂに信号ｉ４を送信して第２の弁１３Ｂを閉止する（ＳＴ３１）。第２の弁１３Ｂが閉止すると、第２の水槽１１Ｂ内の水が優先的に使用される（ＳＴ３２）。第１の水槽１１Ａについて所定の作業が終了し、第１の水槽１１Ａに水が貯留された状態になっても、第２の水槽１１Ｂ内の水が優先的に使用される状態においては、ポンプの自動交互運転が行なわれず、システム外から給水要求があるたびに第２のポンプ１６Ｂが起動する。
【００４８】
第２の水槽１１Ｂ内の水が優先的に使用される状態（ＳＴ３２）においては、第２の弁１３Ｂが閉止しているため、第２の水槽１１Ｂ内の水位が下がりボールタップ１４Ｂの弁が開になっても第２の水槽１１Ｂへの水の補給が開始されない。このような第２の水槽１１Ｂ内の水が優先的に使用される状態（ＳＴ３２）において、制御装置２１は、第２の水槽１１Ｂが空になったか否かを判断する（ＳＴ３３）。第２の水槽１１Ｂが空になったか否かの判断は、典型的には、第２の水槽１１Ｂ内の水位が第２のポンプ１６Ｂを停止する水位まで下がったか否かにより行なう。すなわち、第２の水槽１１Ｂ内が「空」とは、第２の水槽１１Ｂ内の水位が、第２のポンプ１６Ｂが停止する水位以下であることをいう。第２の水槽１１Ｂが空になっていない場合は、引き続き第２の水槽１１Ｂ内の水が優先的に使用される（ＳＴ３２）。第２の水槽１１Ｂが空になった場合は、次の工程に進む。
【００４９】
第２の水槽１１Ｂが空になったか否かを判断し（ＳＴ３３）、第２の水槽１１Ｂが空である場合は、制御装置２１は、第２の水位検知器２２Ｂから信号ｉ６を受信し、第１のポンプ１６Ａを起動させて第２のポンプ１６Ｂを停止させる。第１のポンプ１６Ａが起動することにより、第１の水槽１１Ａ内の水が使用される（ＳＴ３４）。システム外からの給水要求がなくなり、次に給水要求が生じたときも第１のポンプ１６Ａが起動する。つまり、自動交互運転は行なわれない。このとき、第２の弁１３Ｂは閉止の状態で維持されており（図５参照）、第２の水槽１１Ｂも空の状態が維持されている。第２の水槽１１Ｂは空の状態が維持されているので、特別な監視を要せずして作業をする者の都合のよい時間に第２の水槽１１Ｂに対して所定の作業をすることができる。また、第２の水槽１１Ｂに対して所定の作業をする際に、捨てなければならない水量は極めて少なく、第２の水槽１１Ｂを清掃する場合は、水槽内に残ったわずかな水を清掃に使用することもできる。
【００５０】
第２の水槽１１Ｂ内が空になり、所定の作業が終了するまでの間、制御装置２１は、第２の水槽１１Ｂの水抜き状態を終了する指令があるか否かの判断を行なう（ＳＴ３５）。第２の水槽１１Ｂの水抜き状態を終了する指令は、典型的には、作業をする者が作業終了時にスイッチ４０のダイヤル４１（図３参照）を「常時」に切り換えることにより、信号ｉ８として制御装置２１に送信される。第２の水槽１１Ｂの水抜き状態を終了する指令がなければ引き続き第１の水槽内の水を使用する（ＳＴ３４）。第２の水槽１１Ｂの水抜き状態を終了する指令があれば定常運転に戻る（ＳＴ１）。定常運転に戻る際に、制御装置２１は、第２の弁１３Ｂに信号ｉ４を送信して第２の弁１３Ｂを開にする。
【００５１】
給水システム１が定常運転になり、第２の弁１３Ｂが開になると第２の水槽１１Ｂへの水の補給が開始される。第２の水槽１１Ｂ内の水位が上昇し、ボールタップ１４Ｂの弁を閉止する水位に達すると、第２の水槽１１Ｂへの水の補給は停止される。給水システム１が定常運転に戻ると（ＳＴ１）、第１のポンプ１６Ａ及び第２のポンプ１６Ｂは、自動交互運転を行なう。
【００５２】
以上の説明では、受水槽１０は第１の水槽１１Ａと第２の水槽１１Ｂとの二つの水槽で形成されているとして説明したが（段落００２２）、三つ以上の水槽で形成されるように構成されていてもよい。
【００５３】
以上の説明では、水位検知器２２Ａ、２２Ｂは電極棒であるとして説明したが（段落００２５）、電極棒以外の、例えばフロートスイッチを用いてもよい。
【００５４】
以上の説明では、ボールタップ１４Ａ（１４Ｂ）により水槽内への水の補給を行ない、水槽内の水位が電極棒２４ｄの先端に達したときに非常時として第１の弁１３Ａ（第２の弁１３Ｂ）を閉止するとして説明した（段落００２６、００３９）。このようにすると、簡易な構成で水槽内に水を補給することができると共に、水槽内を常時満水に保つことも可能となる。しかしながら、ボールタップ１４Ａ（１４Ｂ）による補給水停止水位を電極棒２４ｄの先端より高位に設定して、通常時（非故障時）は水位検知器２２Ａ（２２Ｂ）から第１の弁１３Ａ（第２の弁１３Ｂ）に信号を送信して第１の弁１３Ａ（第２の弁１３Ｂ）の開閉動作を制御することにより水槽内への水の補給を行なうこともできる。この場合は、ボールタップが、非常時に補給水を停止するように機能する。また、この場合は、本明細書中の「弁を開にする」の意味が、弁を開の状態で維持するのではなく、弁を開にする要求があったときは開にすることができる状態にあることを意味することとなる。このようにすると、特殊なボールタップを用いなくても、水の補給の開始水位と停止水位との水位差を確保することができる。
【００５５】
以上の説明では、連通流路１８は第１の導出流路１５Ａ及び第２の導出流路１５Ｂに接続されているとして説明した（段落００２９）。このようにすると、受水槽１０に余分な加工を施すことなく流路を加工することにより両水槽を連通させることができる。しかしながら、受水槽１０内に設けられた内部連通管であってもよい。この場合は、仕切弁３１Ａ、３１Ｂが不要となる。ただし、内部連通管を設けた場合であっても、内部連通管に連通閉止弁１９が設けられることはいうまでもない。
【００５６】
以上の説明では、水槽内を空の状態にしたい日時を制御装置２１に入力し、制御装置２１のタイマーにより水槽内の水抜き運転を開始することとして説明した（段落００４０、００４５）。このようにすると、所定の作業に入るまでの時間が長時間ある段階で水槽内を空にする日時を設定しても、水槽内が空になってから所定の作業に入るまでの時間を最小限にすることができる。しかしながら、制御装置２１にタイマーを設けずに、スイッチ４１（図３参照）を操作した直後に水槽内の水抜き運転するように構成してもよい。この場合は、作業をする者が、水槽内を空の状態にしたい日時から水槽内の水を抜くのに要する時間を逆算した日時にスイッチを操作しなければならないが、タイマーを使用しない分、給水システム１の制御がシンプルになる。
【００５７】
以上の説明では、第１の水槽１１Ａが空の状態から第２の水槽１１Ｂを空の状態に切り換える際、第１の水槽１１Ａについて作業が終了した後、一度定常運転に戻してから第２の水槽１１Ｂの水抜き指令を行なうものとして説明した（段落００４４、００４５）。このようにすると、第２の水槽１１Ｂに対する作業日時を改めて決定することができ、水槽内が空になるまでの待ち時間を無駄にしなくて済む。しかしながら、ダイヤル４１（図３参照）を第１の水槽水抜きから第２の水槽水抜きへ直接操作する又は第１の水槽１１Ａ内を空の状態にする日時を設定する際に併せて第２の水槽１１Ｂ内を空の状態にする日時を設定すること等により、第１の水槽１１Ａについて作業が終了した後、定常運転を経由せずに第２の水槽１１Ｂの水抜き指令を行なうようにしてもよい。この場合、「第１の弁１３Ａを開にすると共に第２の弁１３Ｂを閉止」するタイミングは、厳密に同時である必要はなく、第１の水槽１１Ａ又は第２の水槽１１Ｂから導出される水が途切れなければ、どちらを先に動作してもよい。このようにすると、制御工程の一部を省くことができ、より短時間に第２の水槽１１Ｂ内を空にすることができる。
【００５８】
以上の説明では、連通閉止弁１９は常に閉止の状態であるものとして説明したが、定常運転時は開の状態にしておき、受水槽１０の清掃等を行なうときに閉止の状態にするように操作してもよい。連通閉止弁１９を定常運転時に開にしておくと、受水槽１０を実質的に一つの水槽とみなすことができ、第１の水槽１１Ａ内の水と第２の水槽１１Ｂ内の水とが均一に使用されることとなり、より受水槽１０内の水の淀みが生じにくくなる。
【図面の簡単な説明】
【００５９】
【図１】本発明の実施の形態に係る給水システム及び給水システムに含まれる制御装置の構成を説明する図である。
【図２】水位検知器の構成を説明する図である。
【図３】給水システムの状態を切り換えるスイッチを示す模式図である。
【図４】本発明の実施の形態に係る給水システムの制御を説明するフローチャートである。
【図５】本発明の実施の形態に係る給水システムの弁の状態を図４のフローチャートにおける各工程ごとに示す図である。
【図６】従来の給水システムの構成を説明する図である。
【符号の説明】
【００６０】
１    給水システム
１１Ａ  第１の水槽
１１Ｂ  第２の水槽
１２Ａ  第１の導入流路
１２Ｂ  第２の導入流路
１３Ａ  第１の弁
１３Ｂ  第２の弁
１５Ａ  第１の導出流路
１５Ｂ  第２の導出流路
１６Ａ  第１のポンプ
１６Ｂ  第２のポンプ
１８  連通流路
１９  連通閉止弁
２０  制御装置
２２Ａ  第１の水位検知器
２２Ｂ  第２の水位検知器
【図１】
2006118217.tif 000003
【図２】
2006118217.tif 000004
【図３】
2006118217.tif 000005
【図４】
2006118217.tif 000006
【図５】
2006118217.tif 000007
【図６】
2006118217.tif 000008